(57)【要約】【課題】環境影響評価に用いられる情報を正確に且つ迅速に検索することができる。【解決手段】本発明の一側面に係る情報検索方法は、製品、材料またはエネルギーの単位量あたりの環境負荷を示す環境負荷情報に対応づけられた第１名称を検索する情報検索方法であって、製品、材料またはエネルギーの第２名称に対する一以上の類義語と前記第２名称とを関連づけて記録する第１記録ステップと、前記第２名称が検索要求情報として入力された場合に、前記検索要求情報に基づいて前記第２名称に関連付けられた前記類義語を判定する判定ステップと、前記類義語および前記第１名称の関連の度合いに応じて設定される設定値に基づいて前記第１名称を抽出する抽出ステップと、を含む。【選択図】図１
2017068362.tif 000002
【特許請求の範囲】
【請求項１】
製品、材料またはエネルギーの単位量あたりの環境負荷を示す環境負荷情報に対応づけられた第１名称を検索する情報検索方法であって、
製品、材料またはエネルギーの第２名称に対する一以上の類義語と前記第２名称とを関連づけて記録する第１記録ステップと、
前記第２名称が検索要求情報として入力された場合に、前記検索要求情報に基づいて前記第２名称に関連付けられた前記類義語を判定する判定ステップと、
前記類義語および前記第１名称の関連の度合いに応じて設定される設定値に基づいて前記第１名称を抽出する抽出ステップと、を含む、
情報検索方法。
【請求項２】
抽出された前記第１名称と前記設定値とを関連付けて出力する出力ステップをさらに含み、
前記出力ステップは、前記設定値が高い前記第１名称を優先的に出力する、
請求項１に記載の情報検索方法。
【請求項３】
ユーザが前記第１名称を指定した場合に、指定された前記第１名称と対応する前記第２名称とを関連づけて記録する第２記録ステップをさらに含む、
請求項１又は請求項２に記載の情報検索方法。
【請求項４】
前記第２記録ステップにより記録された前記第２名称が前記検索要求情報として入力された場合に、前記設定値を制御する設定値制御ステップをさらに備え、
前記抽出ステップは、制御された前記設定値に基づいて前記第１名称を抽出する、
請求項３に記載の情報検索方法。
【請求項５】
前記類義語は、前記名称の同義語、包含語、製品名、体系名、慣用名、ＣＡＳ登録番号および分子式のうち一以上を含む、
請求項１乃至請求項４の何れか一項に記載の情報検索方法。
【請求項６】
製品、材料またはエネルギーの単位量あたりの環境負荷を示す環境負荷情報に対応づけられた第１名称を検索する情報検索プログラムであって、
コンピュータに、
製品、材料またはエネルギーの第２名称に対する一以上の類義語と前記第２名称とを関連づけて記録する機能と、
前記第２名称が検索要求情報として入力された場合に、前記検索要求情報に基づいて前記第２名称に関連付けられた前記類義語を判定する機能と、
前記類義語および前記第１名称の関連の度合いに応じて設定される設定値に基づいて前記第１名称を抽出する機能と、を実現させるための
情報検索プログラム。
【請求項７】
製品、材料またはエネルギーの単位量あたりの環境負荷を示す環境負荷情報に対応づけられた第１名称を検索する情報検索システムであって、
製品、材料またはエネルギーの第２名称に対する一以上の類義語と前記第２名称とを関連づけて記録する記録部と、
前記第２名称が検索要求情報として入力された場合に、前記検索要求情報に基づいて前記第２名称に関連付けられた前記類義語を判定する判定部と、
前記類義語および前記第１名称の関連の度合いに応じて設定される設定値に基づいて前記第１名称を抽出する抽出部と、を備える、
情報検索システム。
【発明の詳細な説明】
【技術分野】
【０００１】
本発明は、環境影響評価に用いられる情報を検索する情報検索方法、情報検索プログラム、および情報検索システムに関する。
【背景技術】
【０００２】
従来、製品やエネルギー等の環境影響に関して、ライフサイクル・アセスメント（LCA）等の環境影響評価を行なう場合、対象製品の原材料調達から製造、使用、廃棄に渡る全ての段階における環境負荷を求めることが知られている。
【０００３】
ＬＣＡは、評価対象製品に関する部品、素材（材料）、サービス、消費エネルギーの単位質量当たりの環境負荷を示すデータである原単位データを取得し、この原単位データを使用して材料負荷、製造時負荷、使用時負荷、廃棄時負荷などの環境評価を行なう。例えば、電力エネルギーの原単位データは、１ｋＷ当たりの電力消費での二酸化炭素（ＣＯ2）、ＳＯx（硫黄酸化物）、ＮＯx（窒素酸化物）の排出量で表される。ＬＣＡの方法およびシステムに関して、製品の原材料調達、製造、使用、廃棄の各段階を通じてより忠実に精度よくライフサイクル環境影響評価を実行するシステムが提案されている（特許文献１を参照）。
【０００４】
特許文献１に記載のライフサイクル環境影響評価システムは、原単位データを、当該原単位データを識別するための所定名称と関連づけて記録している。また、上記システムは、所定名称を参照することによって所定のデータベースに格納された膨大な数の原単位データから所望の原単位データを抽出する。そして、上記システムは、対象製品の原材料調達、製造、使用、廃棄の段階ごとに環境負荷を算出し、ライフサイクル環境影響を評価している。
【先行技術文献】
【特許文献】
【０００５】
【特許文献１】特開２００３−１９０９３０号公報
【発明の概要】
【発明が解決しようとする課題】
【０００６】
ここで、原単位データと関連づけられている所定名称には、例えばメタノール、エタノール、ブタノール等、名称が似ているものが多数含まれている。特許文献１に記載のライフサイクル環境影響評価システムは、所望の原単位データを特定するために、膨大な数の原単位データのそれぞれに対応づけられた名称群（類似の名称を多数含む名称群）の中から所望の名称を特定しなければならない。しかしながら、上記システムは、類似の名称を多数含む名称群から所望の名称を特定するための効率的な手法をなんら採用していない。したがって、例えば、ユーザが上記システムの表示画面に表わされた、類似の名称を多数含む名称群の中から所望の名称を目視で特定する場合、ユーザは、正確に且つ迅速に所望の名称を特定できず、所望の原単位データを正確に且つ迅速に抽出することが困難であった。
【０００７】
本発明はこのような事情に鑑みてなされたものであり、環境影響評価に用いられる情報を正確に且つ迅速に検索することを目的の一つとする。
【課題を解決するための手段】
【０００８】
本発明の一側面に係る情報検索方法は、製品、材料またはエネルギーの単位量あたりの環境負荷を示す環境負荷情報に対応づけられた第１名称を検索する情報検索方法であって、製品、材料またはエネルギーの第２名称に対する一以上の類義語と前記第２名称とを関連づけて記録する第１記録ステップと、前記第２名称が検索要求情報として入力された場合に、前記検索要求情報に基づいて前記第２名称に関連付けられた前記類義語を判定する判定ステップと、前記類義語および前記第１名称の関連の度合いに応じて設定される設定値に基づいて前記第１名称を抽出する抽出ステップと、を含む。
【０００９】
本発明の一側面に係る情報検索プログラムは、製品、材料またはエネルギーの単位量あたりの環境負荷を示す環境負荷情報に対応づけられた第１名称を検索する情報検索プログラムであって、コンピュータに、製品、材料またはエネルギーの第２名称に対する一以上の類義語と前記第２名称とを関連づけて記録する機能と、前記第２名称が検索要求情報として入力された場合に、前記検索要求情報に基づいて前記第２名称に関連付けられた前記類義語を判定する機能と、前記類義語および前記第１名称の関連の度合いに応じて設定される設定値に基づいて前記第１名称を抽出する機能と、を実現させる。
【００１０】
本発明の一側面に係る情報検索システムは、製品、材料またはエネルギーの単位量あたりの環境負荷を示す環境負荷情報に対応づけられた第１名称を検索する情報検索システムであって、製品、材料またはエネルギーの第２名称に対する一以上の類義語と前記第２名称とを関連づけて記録する記録部と、前記第２名称が検索要求情報として入力された場合に、前記検索要求情報に基づいて前記第２名称に関連付けられた前記類義語を判定する判定部と、前記類義語および前記第１名称の関連の度合いに応じて設定される設定値に基づいて前記第１名称を抽出する抽出部と、を備える。
【００１１】
本発明において、「部」、「システム」とは、単に物理的手段を意味するものではなく、その「部」、「システム」が有する機能をソフトウェアによって実現する場合も含む。また、１つの「部」、「システム」が有する機能が２つ以上の物理的手段や装置により実現されても、２つ以上の「部」、「システム」の機能が１つの物理的手段や装置により実現されても良い。
【発明の効果】
【００１２】
本発明によれば、環境影響評価に用いられる情報を検索する場合において、検索に用いる用語を類義語にまで拡張することにより環境影響評価に用いられる情報を正確に且つ迅速に検索することができる。
【図面の簡単な説明】
【００１３】
【図１】本発明の実施形態に係る環境影響評価システムの全体構成図である。
【図２】本発明の実施形態に係る標準情報データベース（ＤＢ）に記憶されている情報の一例を示す図である。
【図３】本発明の実施形態に係る類義語記録部に記憶されている情報の一例を示す図である。
【図４】本発明の実施形態に係る情報検索処理フローの一例を示すフローチャートである。
【図５】本発明の実施形態に係る情報検索画面の一例を示す図である。
【図６】本発明の実施形態に係る情報検索画面の一例を示す図である。
【図７】本発明の実施形態に係る情報検索画面の一例を示す図である。
【図８】本発明の実施形態に係る情報検索画面の一例を示す図である。
【図９】本発明の実施形態に係る情報検索画面の一例を示す図である。
【図１０】本発明の実施形態に係る情報検索処理フローの一例を示すフローチャートである。
【図１１】本発明の実施形態に係る情報検索結果表示画面の一例を示す図である。
【図１２】本発明の実施形態に係る検索結果記録画面の一例を示す図である。
【図１３】本発明の実施形態に係る検索用語記録部に記憶されている情報の一例を示す図である。
【図１４】本発明の実施形態に係る情報検索画面の一例を示す図である。
【発明を実施するための形態】
【００１４】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一又は類似の部分には同一又は類似の符号を付して表している。
【００１５】
＜システム全体構成＞
図１は、本発明の実施形態に係るシステムの全体構成図である。図１に示すように、環境影響評価システム１は、例示的に、環境影響を評価するために用いられる情報を記録する標準情報データベース（ＤＢ）３と、標準情報ＤＢ３に記録されている、環境影響を評価するために用いられる情報を検索する情報検索システム５と、情報検索システム５が検索した、環境影響を評価するために用いられる情報を取得し環境影響を評価するユーザシステム７と、を備えて構成されている。環境影響評価システム１においては、情報検索システム３とユーザシステム５と標準情報ＤＢ７とはインターネットやＬＡＮ（Ｌｏｃａｌ  Ａｒｅａ  Ｎｅｔｗｏｒｋ）等で構成されているネットワークＮを介して互いに通信可能に構成されている。
【００１６】
本実施形態の環境影響評価システム１においては、標準情報ＤＢ３に記録されている、環境影響を評価するために用いられる情報を検索する情報検索システム５において、検索に用いる用語を類義語にまで拡張することが特徴の一つである。また、情報検索システム５において、検索キーワード（例えば、名称や当該名称の一部を含む）（第２名称）の類義語と、検索対象であるユーザが所望する名称（第１名称）との関連の度合いに応じて設定される設定値に基づいて検索対象を抽出することも特徴の一つである。そして、情報検索システム５は、検索により得られた情報をユーザシステム７に供給する。ユーザシステム７は、情報検索システム５からの情報を用いて環境影響を評価する。
【００１７】
「類義語」とは、ある語と比較して、語形または表記は異なるが意味は互いによく似ており、場合によっては代替が可能となる語を含む概念である。また、「類義語」には、同一語形又は同一表記で同一の意味である語が含まれてもよい。なお、本実施形態においては、検索キーワードである第２名称の類義語と、検索対象であるユーザが所望する第１名称と、は異なる名称であるとして区別した上で説明をしているが、第２名称の類義語と第１名称とは同じ名称であってもよい。例えば、「類義語」には、ある語、又は、ある名称の同義語、包含語、製品名、体系名、慣用名、ＣＡＳ登録番号および分子式等が含まれる。なお、「包含語」とは、ある語、又は、ある名称の意味を包含する語のことをいう。
【００１８】
標準情報ＤＢ３は、環境影響を評価するために用いられる情報を記録するブロックである。例えば、標準情報ＤＢ３は、各構成部品を組み合わせて製品を製作する過程での環境影響情報をプロセスデータとして記録する。例えば、プロセスデータは、各構成部品を組み合わせて製品を製作する過程で必要となるエネルギー量、当該製品を輸送する場合の排出物質量、及び、洗浄水や環境へ発生させる排出物質量等の環境影響情報である。また、標準情報ＤＢ３は、製品を構成する構成部品単位での環境影響情報を構成部品データとして記録する。例えば、構成部品データは、製品を構成する素材や部品、所定ユニットなどの構成部品単位ごとの、構成部品製造のための使用エネルギー情報、環境への排出物質量等の環境影響情報である。
【００１９】
図２は、本発明の実施形態に係る標準情報ＤＢに記憶されている情報の一例を示す図である。図２に示すように、標準情報ＤＢは、例示的に、分類レベル情報と、材料／部品名等の名称情報（第１名称）と、単位情報と、ＣＯ2排出原単位データ（環境負荷情報）と、を互いに関連づけて、又は、少なくとも一部の項目を関連づけることなく記録する。例えば、図２に示すように、標準情報ＤＢは、分類レベル１：「素材」と、分類レベル２：「金属（鉄鋼）」と、分類レベル３〜と、材料／部品名等：「銑鉄…」（第１名称）と、単位：「kg-CO2/kg」と、ＣＯ2排出原単位データ：「０．５６」と、を関連づけて記録する。
【００２０】
環境影響を評価するために用いられる情報は、例示的に、材料／部品名等の名称情報（第１名称）と単位情報と排出原単位データ（環境負荷情報）とを含む情報をいう。環境負荷情報は、製品、材料またはエネルギーの単位量あたりの環境負荷を示す情報である。環境負荷情報は、排出原単位データを含み、当該排出原単位データとは、使用製品、使用材料または使用エネルギーの単位量当たりの、環境に負荷を及ぼす因子（ＣＯ2、ＳＯx、ＮＯxなど）の排出量をいう。例えば、排出原単位データは、金属ならばｋｇ当たりの環境負荷因子の排出量として定義され、電力ならばｋＷｈ当たりの環境負荷因子の排出量として定義される。なお、標準情報ＤＢにおいては、図２に示す材料／部品名等の名称情報、単位情報、およびＣＯ2排出原単位データ（環境負荷情報）の各セットが分類レベル情報に基づいて分類された上で記録されている。また、分類レベル情報は、レベル１、レベル２、レベル３の３つの分類に限られず、４以上の分類レベル、すなわち、レベル１〜３に加えて、レベル４、レベル５以降のレベルを示す情報を含んで構成されてよい。
【００２１】
＜ユーザシステムの構成＞
図１に戻り、ユーザシステム７は、環境影響評価を実行するシステムである。具体的には、ユーザシステム７は、情報検索システム５から供給される、環境影響を評価するために用いられる情報を取得し、環境影響を評価するシステムである。図１に示すように、ユーザシステム７は、例示的に、環境影響評価情報記録部７０と、通信部７２と、入出力部７４と、環境評価部７６と、を備えて構成されている。ユーザシステム７は、一台または複数台の情報処理装置を用いて構成することができる。ユーザシステム７を構成する各部、例えば、通信部７２、入出力部７４、及び環境評価部７６は、例えば、メモリやハードディスク等の記憶領域を用いたり、記憶領域に格納されているプログラムをプロセッサが実行したりすることにより実現することができる。
【００２２】
環境影響評価情報記録部７０は、情報検索システム５から供給される、環境影響を評価するために用いられる情報を短期的に、又は、長期的に記録するブロックである。また、環境影響評価情報記録部７０は、環境影響評価部７６の評価結果を短期的に、又は、長期的に記録するブロックである。環境影響評価情報記録部７０は、環境影響を評価するために用いられる情報および環境影響評価部７６の評価結果を出力可能に構成されている。
【００２３】
通信部７２は、標準情報ＤＢ３および情報検索システム５とネットワークＮを介して情報の送受信を実行するブロックである。例えば、通信部７２は、情報検索システム５に対して、検索要求情報を送信し、情報検索システム５からの検索結果を受信する。
【００２４】
入出力部７４は、検索要求情報の入力、検索結果の表示（出力）を行うブロックである。また、入出力部７４は、ユーザからの指示の受付、環境影響評価結果の表示（出力）を行うブロックである。例えば、入出力部７４は、表示機能を担うディスプレイ（表示画面）で構成されている。ディスプレイは、例えば、液晶ディスプレイや有機ＥＬ（Ｅｌｅｃｔｒｏ  Ｌｕｍｉｎｅｓｃｅｎｃｅ）ディスプレイなどの一般的な表示デバイスにより構成される。また、例えば、入出力部７４は、表示機能を担うディスプレイ（表示画面）と入力機能を担うタッチセンサとで構成されてもよい。タッチセンサは、例えば、ディスプレイの上面に配置された、接触操作（接触）を検出するための素子及びその上に積層された透明な操作面を備えて構成される。なお、入出力部７４において、ユーザからの指示は、ユーザがマウスやキーボードを操作することにより供給されてもよい。また、入出力部７４において、ユーザからの指示は、ユーザがタッチセンサ上で接触操作を行うことにより、供給されてもよい。
【００２５】
環境影響評価部７６は、環境影響を評価するために用いられる情報に基づいて環境影響を評価するブロックである。例えば、環境影響評価部７６は、環境影響を評価するために用いられる情報に含まれる原単位データに基づいて、材料負荷、製造時負荷、使用時負荷、廃棄時負荷等の環境評価を行う。具体的には、環境影響評価部７６は、原単位データと使用材料等の量（使用量）とを掛け合わせることで排出量を計算する。より具体的には、環境影響評価部７６は、例えば、原材料の各部品について、原材料調達工程、製造工程、使用工程、廃棄およびリサイクル工程等の一連のプロセスにおいて例えば、数千、数万段階にも及ぶ工程を遡ることで、各工程における環境負荷を検査する。そして、環境影響評価部７６は、各工程においてＣＯ2等の排出量を把握し、その総和から環境負荷を求める、即ち、環境影響を評価する。
【００２６】
＜情報検索システムの構成＞
情報検索システム５は、ユーザシステム７からの検索要求情報に基づいて、環境影響を評価するために用いられる情報を検索し、ユーザシステム７に送信するシステムである。図１に示すように、情報検索システム５は、例示的に、類義語記録部５０と、通信部５２と、制御部５４と、を備えて構成されている。情報検索システム５は、一台または複数台の情報処理装置を用いて構成することができる。情報検索システム５を構成する各部、例えば、通信部５２及び制御部５４は、例えば、メモリやハードディスク等の記憶領域を用いたり、記憶領域に格納されているプログラムをプロセッサが実行したりすることにより実現することができる。
【００２７】
検索用語記録部５０は、検索用語を記録するブロックである。検索用語記録部５０は、例示的に、類義語辞書データベース（ＤＢ）５０１と、指定検索語データベース（ＤＢ）５０３と、を備えて構成されている。
【００２８】
類義語辞書ＤＢ５０１は、製品、材料またはエネルギーの名称（第２名称）と第２名称の類義語とを少なくとも関連づけて記録するデータベースである。
【００２９】
図３は、本発明の実施形態に係る検索用語記録部、特に類義語辞書ＤＢに記憶されている情報の一例を示す図である。図３に示すように、類義語辞書ＤＢは、例示的に、ＩＤと、名称（第２名称）と、名称の類義語と、類義語の言語、を互いに関連づけて、又は少なくとも一部の項目を関連づけずに記録する。例えば、図３に示すように、類義語辞書ＤＢは、ＩＤ：「ＩＤ０１」と、名称：「２−メチル−１−プロパノール」（第２名称）と、名称の類義語：「Ｉｓｏｂｕｔａｎｏｌ」と、類義語の言語：「日本語」とを互いに関連づけて記録する。また、図３に示すように、例えば、名称「２−メチル−１−プロパノール」には、少なくとも、「Ｉｓｏｂｕｔａｎｏｌ」、「イソブチルアルコール」等を含む１２個の類義語が存在する。なお、図３には明示されていないが、名称「Ｉｓｏｂｕｔａｎｏｌ」の類義語は、上記と同様に、少なくとも、「２−メチルプロパン−１−オール」、「イソブチルアルコール」等を含む１２個の類義語を含む。ここで、例えば、図３の「類義語」欄に示す「イソブチルアルコール」は、体系名であり、「イソブタノール」は慣用名であり、「７８−８３−１」は、ＣＡＳ登録番号であり、「Ｃ4Ｈ10Ｏ」は、分子式である。
【００３０】
指定検索語ＤＢ５０３は、以下で図１３を用いて詳しく説明するとおり、ユーザにより指定された、製品、材料またはエネルギーの単位量あたりの環境負荷を示す環境負荷情報に対応づけられた名称（第１名称）を、当該第１名称と対応する、製品、材料またはエネルギーの名称（第２名称）と関連づけて記録するデータベースである。
【００３１】
通信部５２は、標準情報ＤＢ３およびユーザシステム７とネットワークＮを介して情報の送受信を実行するブロックである。例えば、通信部５２は、ユーザシステム７からの検索要求情報を受信し、ユーザシステム７に対して検索結果を受信する。また、例えば、通信部５２は、標準情報ＤＢ３から、標準情報ＤＢ３が記録している材料／部品名等の名称情報（第１名称）を少なくとも取得する。類義語辞書ＤＢ５０１において、第１名称と第１名称の類義語とを関連付けて記録しておくためである。
【００３２】
制御部５４は、環境影響を評価するために用いられる情報の検索処理を制御し、検索処理結果の登録を制御するブロックである。制御部５４は、例示的に、検索部５６と、記録管理部５８と、を備えて構成されている。また、検索部５６は、環境影響を評価するために用いられる情報の検索処理を実行するブロックであり、例示的に、設定部５６１と、判定部５６３と、抽出部５６５と、を備えて構成されている。例えば、制御部５４は、ＣＰＵを備えて構成されており、制御部５４に含まれる上記各構成が実行する処理を制御する。
【００３３】
設定部５６１は、検索キーワード（検索要求情報）として入力される製品、材料またはエネルギーの名称（第２名称）の類義語と、検索対象である、製品、材料またはエネルギーの単位量あたりの環境負荷を示す環境負荷情報に対応づけられた名称（第１名称）と、の関連の度合いに応じて設定値を設定するブロックである。なお、「設定値」は０以上１以下の数字で表され、関連（類似）の度合いが高い場合は、設定値は１であり、関連（類似）の度合いが低い場合は、設定値は０である。
【００３４】
判定部５６３は、製品、材料またはエネルギーの名称（第２名称）が検索キーワード（検索要求情報）として入力された場合に、当該検索キーワードに基づいて第２名称に関連付けられた類義語を判定するブロックである。抽出部５６５は、判定部５６３により判定された類義語と製品、材料またはエネルギーの単位量あたりの環境負荷を示す環境負荷情報に対応づけられた名称（第１名称）との関連の度合いに応じて設定される設定値に基づいて第１名称を抽出するブロックである。
【００３５】
記録管理部５８は、検索処理結果を検索用語記録部５０に記録するように制御するブロックである。例えば、記録管理部５８は、ユーザが検索処理結果としての、製品、材料またはエネルギーの単位量あたりの環境負荷を示す環境負荷情報に対応づけられた名称（第１名称）を指定した場合に、指定された第１名称と対応する、検索キーワードである第２名称とを関連づけて記録する。
【００３６】
＜情報検索処理フロー１＞
図４は、製品、材料またはエネルギーの単位量あたりの環境負荷を示す環境負荷情報に対応づけられた名称（第１名称）の検索処理フローの一例を示すフローチャートである。また、図４に示す検索処理フローを図５乃至図９を参照しながら説明する。図５乃至図９は、本発明の実施形態に係る情報検索画面の一例を示す図である。以下に説明する、図５乃至図９が示す表示画面は、図１に示すユーザシステム７の入出力部７４のディスプレイに表示される画面である。情報検索システム５において検索された情報がユーザシステム７に送信され、当該情報がユーザシステム７の入出力部７４のディスプレイに表示される。なお、図５乃至図９の各図において内容が重複する部分については適宜説明を省略する。
【００３７】
まず、本実施形態においてユーザが検索処理を開始するための所定の処理（ログイン処理等）は終了していることを前提に以下説明する。なお、本実施形態において、当該検索処理は、ユーザがログイン処理をしなくても実行可能なように構成されてもよい。
【００３８】
図４に示すステップＳ１において、検索用語記録部５０は、製品、材料またはエネルギーの名称（第２名称）に対する一以上の類義語と当該第２名称とを関連づけて記録する。具体的には、上記したとおり、図１に示す検索用語記録部５０の類義語辞書ＤＢ５０１は、例えば、製品、材料またはエネルギーの名称である「２−メチル−１−プロパノール」（第２名称）と、「２−メチル−１−プロパノール」（第２名称）の類義語（図３に示す１３個の類義語）と、を関連づけて記録する。なお、ステップＳ１の処理は、検索処理の開始の前に予め実行されてもよい。また、ステップＳ１の処理は、検索処理の開始の際、またはその後に所定のタイミングで実行されてもよい。また、第２名称は、「２−メチル−１−プロパノール」に限定されず、例えば、「Ｉｓｏｂｕｔａｎｏｌ」や「Ｉｓｏｂｕｔｙ  ａｌｃｏｈｏｌ」等他の名称であってもよい。
【００３９】
ステップＳ２において、図１に示す判定部５６３は、「２−メチル−１−プロパノール」（第２名称）が検索キーワード（検索要求情報）として入力された場合に、検索キーワードに基づいて「２−メチル−１−プロパノール」（第２名称）に関連付けられた類義語（図３に示す１３個の類義語）を判定する。具体的には、図５に示すように、ユーザが、例えば検索ＷｅｂブラウザＢの画面Ｄに設けられたＴａｒｇｅｔ  ＮａｍｅボックスＡに、検索キーワードとして「２−メチル−１−プロパノール」（第２名称）を入力し、ＳｅａｒｃｈボタンＸ１を選択すると、検索処理が開始される。また、ユーザが、例えば検索ＷｅｂブラウザＢの画面Ｄに設けられたＲｅｓｅｔボタンＸ１を選択すると、Ｔａｒｇｅｔ  ＮａｍｅボックスＡに、検索キーワードとして入力された「２−メチル−１−プロパノール」がリセットされる。
【００４０】
図６は、検索ＷｅｂブラウザＢの画面Ｄに設けられた検索画面の一例を示す図である。図６に示すように、ユーザがＴａｒｇｅｔ  Ｎａｍｅとして入力した「２−メチル−１−プロパノール」（日本語）がＳｅａｒｃｈ  Ｋｅｙｗｏｒｄ（検索キーワード）として１キーワード欄Ｋに入力される。なお、キーワード欄Ｋには単語が入力される。したがって、検索キーワードが複数の語から形成されている場合は、各単語が各キーワード欄Ｋに入力される。また、ユーザが画面Ｄ上のＲｅｓｅｔボタンＸ２を選択すると、Ｔａｒｇｅｔ  Ｎａｍｅを変更するために図５に示す検索ＷｅｂブラウザＢに戻る。ユーザが画面Ｄ上のＣｌｅａｒ  ＫｅｙｗｏｒｄボタンＸ２を選択すると、キーワード欄Ｋに入力されたキーワードが消去される。Ｔｒｅｅ欄Ｔには、必要に応じて分類レベルが入力される。Ｄｅｔａｉｌ  Ｓｅｔｔｉｎｇｓ欄Ｓには、検索処理に関する設定情報が入力されている。
【００４１】
ここで、ユーザがＳｅａｒｃｈボタンＸ４を選択すると、判定部５６３は、検索キーワードに基づいて「２−メチル−１−プロパノール」（第２名称）に関連付けられた類義語（図３に示す１２個の類義語）を判定する（ステップＳ２）。
【００４２】
ステップＳ３において、図１に示す抽出部５６５は、類義語、及び、製品、材料またはエネルギーの単位量あたりの環境負荷を示す環境負荷情報に対応づけられた名称（第１名称）の関連の度合いに応じて設定される設定値に基づいて第１名称を抽出する。なお、本実施形態においては、検索キーワードである第２名称の類義語と第１名称とは異なる名称であるとして区別した上で説明をしているが、第２名称の類義語と第１名称とは同じ名称であってもよい。
【００４３】
具体的に、図６の例においては、画面Ｄ上には、検索ヒット数Ｒ「１４」が表示され、検索結果の詳細を示す検索結果テーブルＴ１が表示される。具体的には、検索結果テーブルＴ１に示すように、検索対象であるＤａｔａｓｅｔ  Ｎａｍｅ（第１名称）「Ｉｓｏｂｕｔａｎｏｌ…」がＳｃｏｒｅ（設定値）「０．９７」および分類レベルと関連づけられて表示され、Ｄａｔａｓｅｔ  Ｎａｍｅ「２−ｂｕｔａｎｏｌ…」がＳｃｏｒｅ「０．３７」および分類レベルと関連づけられて表示され、Ｄａｔａｓｅｔ  Ｎａｍｅ「１−ｂｕｔａｎｏｌ…」がＳｃｏｒｅ「０．３７」および分類レベルと関連づけられて表示され、Ｄａｔａｓｅｔ  Ｎａｍｅ「３−ｍｅｔｈｌｙ−１−ｂｕｔａｎｏｌ…」がＳｃｏｒｅ（設定値）「０．２９」および分類レベルと関連づけられて表示され、Ｄａｔａｓｅｔ  Ｎａｍｅ「２−ｍｅｔｈｌｙ−１−ｂｕｔａｎｏｌ…」がＳｃｏｒｅ「０．２９」および分類レベルと関連づけられて表示されている。ここで、判定部５６３により判定された、「２−メチル−１−プロパノール」の類義語、例えば、「Ｉｓｏｂｕｔａｎｏｌ」と検索対象であるＤａｔａｓｅｔ  Ｎａｍｅ「Ｉｓｏｂｕｔａｎｏｌ…」（第１名称）との設定値「０．９７」は、類義語「Ｉｓｏｂｕｔａｎｏｌ」およびＤａｔａｓｅｔ  Ｎａｍｅ「Ｉｓｏｂｕｔａｎｏｌ…」の表記がほぼ同一であるので、類義語「Ｉｓｏｂｕｔａｎｏｌ」と他のＤａｔａｓｅｔ  Ｎａｍｅ「２−ｂｕｔａｎｏｌ…」や「３−ｍｅｔｈｌｙ−１−ｂｕｔａｎｏｌ…」等との設定値（０．２９または０．３７）に比べると相当高い。以上より、抽出部５６５は、検索結果テーブルＴ１に示すように、例えば、設定値の高い順に検索対象であるＤａｔａｓｅｔ  Ｎａｍｅ（第１名称）を抽出する。そして、図１に示すユーザシステム７の入出力部７４は、設定値の高いＤａｔａｓｅｔ  Ｎａｍｅ「Ｉｓｏｂｕｔａｎｏｌ…」を検索結果テーブルＴ１の上位に来るように（優先的に）出力する。なお、抽出部５６５は、例えば、設定値の低い順に検索対象であるＤａｔａｓｅｔ  Ｎａｍｅ（第１名称）を抽出するように構成されてもよい。この場合は、図１に示すユーザシステム７の入出力部７４は、Ｓｃｏｒｅの低いＤａｔａｓｅｔ  Ｎａｍｅを検索結果テーブルＴ１の上位に来るように（優先的に）出力する。
【００４４】
ここで、設定値の算出・設定方法について説明する。なお、設定値は、算出値と呼んでもよい。設定部５６１は、設定値を検索処理の開始前又は開始後に、検索キーワードとして入力される第２名称の類義語の表記と、検索対象である第１名称の表記とが互いにどの程度類似しているかに応じて設定値を算出する。また、例えば、設定部５６１は、検索キーワードとして入力される第２名称の類義語の属性と、検索対象である第１名称の属性と、が互いにどの程度類似しているかに応じて設定値を算出する。属性とは、単語の表記ではなく、単語の意味や概念を含むものである。さらに、設定部５６１は、第２名称の類義語および第１名称の表記の類似度と、属性の類似度とを組み合わせて設定値を算出してもよい。なお、検索キーワードとして入力される第２名称、第２名称の類義語、および第１名称は一語に限られず、二語以上を含んで構成されてもよい。検索キーワードとして入力される第２名称、第２名称の類義語、および第１名称の一以上が二語以上を含む場合は、設定部５６１は、第２名称の類義語および第１名称のそれぞれを一語ごとに分割し、一語ごとに比較することにより、第２名称の類義語および第１名称の類似度を算出した上で、第２名称の類義語および第１名称の設定値を設定する。設定部５６１は、設定部５６１が算出した、第２名称の類義語および第１名称の設定値を、第２名称の類義語および第１名称のセットと対応づけて検索用語記録部５０に記録する。
【００４５】
図７は、図５に示す検索画面においてユーザがＴａｒｇｅｔ  Ｎａｍｅ「Ｉｓｏｂｕｔａｎｏｌ」（英語）を入力した場合の検索画面の一例である。図７の例においては、判定部５６３により判定された、「Ｉｓｏｂｕｔａｎｏｌ」の類義語、例えば、「Ｉｓｏｂｕｔａｎｏｌ」（同一語も類義語に含まれる）と検索対象であるＤａｔａｓｅｔ  Ｎａｍｅ「Ｉｓｏｂｕｔａｎｏｌ…」（第１名称）との設定値「１」は、類義語「Ｉｓｏｂｕｔａｎｏｌ」およびＤａｔａｓｅｔ  Ｎａｍｅ「Ｉｓｏｂｕｔａｎｏｌ…」の表記がほぼ同一であるので、類義語「Ｉｓｏｂｕｔａｎｏｌ」と他のＤａｔａｓｅｔ  Ｎａｍｅ「２−ｂｕｔａｎｏｌ…」や「３−ｍｅｔｈｌｙ−１−ｂｕｔａｎｏｌ…」等との設定値「０．２８」または「０．２９」に比べると相当高い。以上より、抽出部５６５は、検索結果テーブルＴ１に示すように、例えば、Ｓｃｏｒｅ（設定値）の高い順に検索対象であるＤａｔａｓｅｔ  Ｎａｍｅ（第１名称）を抽出する。そして、図１に示すユーザシステム７の入出力部７４は、設定値の高いＤａｔａｓｅｔ  Ｎａｍｅ「Ｉｓｏｂｕｔａｎｏｌ…」を検索結果テーブルＴ１の上位に来るように（優先的に）出力する。
【００４６】
図８は、図５に示す検索画面においてユーザがＴａｒｇｅｔ  Ｎａｍｅ「７８−８３−１」（ＣＡＳ登録番号）を入力した場合の検索画面の一例である。図８の例においては、判定部５６３により判定された、「７８−８３−１」の類義語、例えば、「Ｉｓｏｂｕｔａｎｏｌ」と検索対象であるＤａｔａｓｅｔ  Ｎａｍｅ「Ｉｓｏｂｕｔａｎｏｌ…」（第１名称）との設定値「１」は、類義語「Ｉｓｏｂｕｔａｎｏｌ」およびＤａｔａｓｅｔ  Ｎａｍｅ「Ｉｓｏｂｕｔａｎｏｌ…」の表記がほぼ同一であるので、類義語「Ｉｓｏｂｕｔａｎｏｌ」と他のＤａｔａｓｅｔ  Ｎａｍｅ「Ｅｔｈｙｌｅｎｅ，ｐｉｐｅｌｉｎｅ  ｓｙｓｔｅｍ…」や「Ｅｔｈｙｌｅｎｅ  ａｖｅｒａｇｅ…」等との設定値「０．２９」に比べると相当高い。以上より、抽出部５６５は、検索結果テーブルＴ１に示すように、例えば、設定値の高い順に検索対象であるＤａｔａｓｅｔ  Ｎａｍｅ（第１名称）を抽出する。そして、図１に示すユーザシステム７の入出力部７４は、設定値の高いＤａｔａｓｅｔ  Ｎａｍｅ「Ｉｓｏｂｕｔａｎｏｌ…」を検索結果テーブルＴ１の上位に来るように（優先的に）出力する。
【００４７】
図９は、図５に示す検索画面においてユーザがＴａｒｇｅｔ  Ｎａｍｅ「Ｉｓｏｂｕｔｙｌ  ａｌｃｏｈｏｌ」（英語、慣用名）を入力した場合の検索画面の一例である。図９に示すように、Ｔａｒｇｅｔ  Ｎａｍｅ「Ｉｓｏｂｕｔｙｌ  ａｌｃｏｈｏｌ」は、二語からなる検索キーワードであるので、１キーワード欄Ｋには「Ｉｓｏｂｕｔｙｌ」が２キーワード欄Ｋには「ａｌｃｏｈｏｌ」が入力される。図９の例においては、判定部５６３により判定された、「Ｉｓｏｂｕｔｙｌ  ａｌｃｏｈｏｌ」の類義語は、検索対象であるＤａｔａｓｅｔ  Ｎａｍｅ「３−ｍｅｔｈｙｌ−１−ｂｕｔａｎｏｌ…」や「Ｉｓｏｂｕｔａｎｏｌ…」との設定値「０．６」は、「Ｉｓｏｂｕｔｙｌ  ａｌｃｏｈｏｌ」の類義語と他のＤａｔａｓｅｔ  Ｎａｍｅ「１−ｐｅｎｔａｎｏｌ…」等との設定値「０．４３」に比べると相当高い。以上より、抽出部５６５は、検索結果テーブルＴ１に示すように、例えば、Ｓｃｏｒｅ（設定値）の高い順に検索対象であるＤａｔａｓｅｔ  Ｎａｍｅ（第１名称）を抽出する。そして、図１に示すユーザシステム７の入出力部７４は、設定値の高いＤａｔａｓｅｔ  Ｎａｍｅ「３−ｍｅｔｈｙｌ−１−ｂｕｔａｎｏｌ…」や「Ｉｓｏｂｕｔａｎｏｌ…」を検索結果テーブルＴ１の上位に来るように（優先的に）出力する。
【００４８】
＜情報検索処理フロー２＞
図１０は、製品、材料またはエネルギーの単位量あたりの環境負荷を示す環境負荷情報に対応づけられた名称（第１名称）の検索処理フローの一例を示すフローチャートである。図１０に示す検索処理フローを図１１乃至図１４を参照しながら説明する。以下に説明する、図１１、１２、および１４が示す表示画面は、図１に示すユーザシステム７の入出力部７４のディスプレイに表示される画面である。情報検索システム５において検索された情報がユーザシステム７に送信され、当該情報がユーザシステム７の入出力部７４のディスプレイに表示される。なお、図１１、１２、および１４の各図において図５乃至図９の内容と重複する部分については適宜説明を省略する。
【００４９】
図１０のステップＳ１１において、図１に示す記録管理部５８は、ユーザがＤａｔａｓｅｔ  Ｎａｍｅ（第１名称）を指定した場合に、指定された第１名称と対応する検索キーワード（第２名称）とを関連づけて検索用語記録部５０（指定検索語ＤＢ５０３）に記録する。
【００５０】
図１１は、図６に示す検索結果テーブルＴ１において、ユーザが、Ｓｃｏｒｅ（設定値）「０．２９」のＤａｔａｓｅｔ  Ｎａｍｅ（第１名称）「３−ｍｅｔｈｙｌ−１−ｂｕｔａｎｏｌ…」を所望の名称（検索対象）として選択した場合に、Ｄａｔａｓｅｔ  Ｎａｍｅ「３−ｍｅｔｈｙｌ−１−ｂｕｔａｎｏｌ…」の詳細情報を示す図である。図１１に示すように、Ｄａｔａｓｅｔ  Ｎａｍｅ「３−ｍｅｔｈｙｌ−１−ｂｕｔａｎｏｌ…」の詳細情報が検索結果テーブルＴ２として画面Ｄ上に表示される。また、ユーザが、画面Ｄ上のＢａｃｋボタンＸ５を選択すると、例えば、図９に示す情報検索画面に戻る。一方で、ユーザが、画面Ｄ上のＳａｖｅボタンＸ６を選択すると、後述する図１２に示す検索結果記録画面に進む。
【００５１】
図１２は、検索対象としてユーザに指定されたＤａｔａｓｅｔ  Ｎａｍｅ（第１名称）と、ユーザに指定されたＤａｔａｓｅｔ  Ｎａｍｅに対応する検索キーワード（第２名称）と、を関連づけて記録するために、ユーザが操作する検索結果記録画面の一例である。ユーザが、図１２に示すＳａｖｅボックスＸ８を選択すると、図１に示す記録管理部５８は、Ｔａｒｇｅｔ  ＮａｍｅボックスＡに入力される「２−メチル−１−プロパノール」（第２名称）と、検索対象としてユーザに指定されたＤａｔａｓｅｔ  Ｎａｍｅ（第１名称）「３−ｍｅｔｈｙｌ−１−ｂｕｔａｎｏｌ…」とを対応づけて検索用語記録部５０（指定検索語ＤＢ５０３）に記録する。
【００５２】
図１３は、検索用語記録部５０（指定検索語ＤＢ５０３）に記録される、検索対象としてユーザに指定されたＤａｔａｓｅｔ  Ｎａｍｅ（第１名称）およびユーザに指定されたＤａｔａｓｅｔ  Ｎａｍｅに対応する検索キーワード（第２名称）の一例を示す図である。図１３に示すように、一例を挙げると、指定検索語ＤＢ５０３には、検索対象としてユーザに指定されたＤａｔａｓｅｔ  Ｎａｍｅ（第１名称）「３−ｍｅｔｈｙｌ−１−ｂｕｔａｎｏｌ…」と、ユーザに指定されたＤａｔａｓｅｔ  Ｎａｍｅに対応する検索キーワードであるＴａｒｇｅｔ  Ｎａｍｅ（第２名称）「２−メチル−１−プロパノール」と、Ｄａｔａｓｅｔ  Ｎａｍｅ（第１名称）およびＴａｒｇｅｔ  Ｎａｍｅ（第２名称）が記録された日時（「Ｓａｖｅ  Ｄａｔｅ」）「ＹＹＹＹ／ＭＭ／ＤＤ  ＸＸ：ＸＸ：ＸＸ」と、が関連づけられて記録されている。図１３に示すように、検索用語記録部５０（指定検索語ＤＢ５０３）には、過去から現在にわたって、Ｄａｔａｓｅｔ  Ｎａｍｅ（第１名称）およびＴａｒｇｅｔ  Ｎａｍｅ（第２名称）の組合せが記録されている。具体的には、検索用語記録部５０には、ユーザにより過去に検索されたＤａｔａｓｅｔ  Ｎａｍｅ（第１名称）およびＴａｒｇｅｔ  Ｎａｍｅ（第２名称）の組合せが記録されている。また、検索用語記録部５０には、ユーザにより現在検索されているＤａｔａｓｅｔ  Ｎａｍｅ（第１名称）およびＴａｒｇｅｔ  Ｎａｍｅ（第２名称）の組合せが記録される。
【００５３】
ステップＳ１２において、図１に示す設定部５６１は、記録された第２名称が検索要求情報として入力された場合に、設定値を制御する。
次に、ステップＳ１３において、抽出部５６５は、制御された設定値に基づいて第１名称を抽出する。
【００５４】
図１４は、指定検索語ＤＢ５０３において、検索対象である所望の名称としてユーザに指定されたＤａｔａｓｅｔ  Ｎａｍｅ（第１名称）「３−ｍｅｔｈｙｌ−１−ｂｕｔａｎｏｌ…」と関連づけられて記録されている、Ｔａｒｇｅｔ  Ｎａｍｅ（第２名称）「２−メチル−１−プロパノール」が検索キーワード（検索要求情報）として入力された場合の検索結果を示す図である。ここで、図６においては、Ｄａｔａｓｅｔ  Ｎａｍｅ「３−ｍｅｔｈｙｌ−１−ｂｕｔａｎｏｌ…」は、設定値が「０．２９」であり、検索結果テーブルＴ１においては、下位に表示されていた。しかしながら、図１４においては、Ｄａｔａｓｅｔ  Ｎａｍｅ「３−ｍｅｔｈｙｌ−１−ｂｕｔａｎｏｌ…」は、設定値が「１」に制御された結果、検索結果テーブルＴ３においては、最上位に表示されている。このように、設定部５６１は、指定検索語ＤＢ５０３において、Ｄａｔａｓｅｔ  Ｎａｍｅ「３−ｍｅｔｈｙｌ−１−ｂｕｔａｎｏｌ…」と関連づけられて記録されている、Ｔａｒｇｅｔ  Ｎａｍｅ「２−メチル−１−プロパノール」が検索キーワードとして入力された場合、設定値を「０．２９」から「１」に制御する。そして、抽出部５６５は、制御された設定値「１」に基づいてＤａｔａｓｅｔ  Ｎａｍｅを抽出する。そして、図１に示すユーザシステム７の入出力部７４は、設定値の高いＤａｔａｓｅｔ  Ｎａｍｅ「３−ｍｅｔｈｙｌ−１−ｂｕｔａｎｏｌ…」を検索結果テーブルＴ３の最上位に来るように（優先的に）出力する。このように検索結果の出力を制御することにより、ユーザが所望の名称を特定し易くなる。
【００５５】
なお、設定部５６１は、指定検索語ＤＢ５０３において、Ｄａｔａｓｅｔ  Ｎａｍｅ（第１名称）「３−ｍｅｔｈｙｌ−１−ｂｕｔａｎｏｌ…」と関連づけられて記録されている、Ｔａｒｇｅｔ  Ｎａｍｅ（第２名称）「２−メチル−１−プロパノール」が検索キーワードとして入力された場合、設定値を「０．２９」からさらに低い設定値（例えば、０．０１）に制御するように構成されてもよい。そして、抽出部５６５は、制御された設定値「０．０１」に基づいてＤａｔａｓｅｔ  Ｎａｍｅを抽出する。そして、図１に示すユーザシステム７の入出力部７４は、Ｓｃｏｒｅ（設定値）の低いＤａｔａｓｅｔ  Ｎａｍｅ「３−ｍｅｔｈｙｌ−１−ｂｕｔａｎｏｌ…」を検索結果テーブルＴ３の最下位に来るように（優先的に）出力する。このように検索結果の出力を制御することにより、ユーザが特定を希望していない名称が検索結果テーブルの上位に表示されなくなるため、ユーザが所望する名称をより特定し易くなる。
【００５６】
なお、設定部５６１は、あらかじめユーザにより指定された、Ｄａｔａｓｅｔ  Ｎａｍｅ（第１名称）およびＤａｔａｓｅｔ  Ｎａｍｅに対応する検索キーワードであるＴａｒｇｅｔ  Ｎａｍｅ（第２名称）の組合せが検索用語記録部５０に記録されると、Ｄａｔａｓｅｔ  Ｎａｍｅ（第１名称）に対応するＳｃｏｒｅ（設定値）を制御する。そして、抽出部５６５は、制御された設定値に基づいて第１名称を抽出する。具体的には、情報検索システム５は、過去の検索処理の際に、あらかじめユーザにより指定された名称が、ユーザシステム７の入出力部７４の検索結果テーブルの最上位または最下位に表示されるように構成されてもよい。
【００５７】
そして、情報検索システム５は、標準情報ＤＢ３に記録されている製品、材料またはエネルギーの単位量あたりの環境負荷を示す環境負荷情報に中から、情報検索システム５が検索したＤａｔａｓｅｔ  Ｎａｍｅ（第１名称）に対応する環境負荷情報を抽出し、ユーザシステム７に送信する。ユーザシステム７は、情報検索システム５から送信される情報に基づいて環境影響評価を実行する。
【００５８】
以上、本発明の実施形態によれば、環境影響評価に用いられる情報を検索する場合において、検索キーワードを類義語にまで拡張することにより環境影響評価に用いられる情報を正確に且つ迅速に検索することができる。
【００５９】
また、環境影響評価に用いられる情報を検索する場合において、検索キーワード（例えば、名称や当該名称の一部）の類義語と、検索対象との関連の度合いに応じて設定される設定値に基づいて検索対象を抽出することにより環境影響評価に用いられる情報をより正確に且つ迅速に検索することができる。
【００６０】
＜他の実施形態＞
なお、上記各実施形態は、本発明の理解を容易にするためのものであり、本発明を限定して解釈するものではない。本発明はその趣旨を逸脱することなく、変更／改良（たとえば、各実施形態を組み合わせること、各実施形態の一部の構成を省略すること）され得るとともに、本発明にはその等価物も含まれる。
【００６１】
例えば、ユーザシステム７の少なくとも一部の構成が情報検索システム５に含まれて構成されてもよい。また、情報検索システム５の少なくとも一部の構成がユーザシステム７に含まれて構成されてもよい。さらに、標準情報ＤＢ３は、情報検索システム５又はユーザシステム７に含まれて構成されてもよい。
【００６２】
また、図４および図１０に示す各処理ステップは処理内容に矛盾を生じない範囲で任意に順番を変更して又は並列に実行することができる。
【符号の説明】
【００６３】
１：      環境影響評価システム
３：      標準情報ＤＢ
５：      情報検索システム
７：      ユーザシステム
５０：    検索用語記録部
５２：    通信部
５４：    制御部
５６：    検索部
５８：    記録管理部
７０：    環境影響評価情報記録部
７２：    通信部
７４：    入出力部
７６：    環境影響評価部
５０１：  類義語辞書ＤＢ
５０３：  指定検索語ＤＢ
５６１：  設定部
５６３：  判定部
５６５：  抽出部
【図１】
2017068362.tif 000003
【図２】
2017068362.tif 000004
【図３】
2017068362.tif 000005
【図４】
2017068362.tif 000006
【図５】
2017068362.tif 000007
【図６】
2017068362.tif 000008
【図７】
2017068362.tif 000009
【図８】
2017068362.tif 000010
【図９】
2017068362.tif 000011
【図１０】
2017068362.tif 000012
【図１１】
2017068362.tif 000013
【図１２】
2017068362.tif 000014
【図１３】
2017068362.tif 000015
【図１４】
2017068362.tif 000016
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
製品、材料またはエネルギーの単位量あたりの環境負荷を示す環境負荷情報に対応づけられた第１名称を、制御部と記録部とを備えるコンピュータが検索する情報検索方法であって、
前記記録部が、製品、材料またはエネルギーの第２名称に対する一以上の類義語と前記第２名称とを関連づけて記録する第１記録ステップと、
前記制御部が、前記第２名称が検索要求情報として入力された場合に、前記検索要求情報に基づいて前記第２名称に関連付けられた前記類義語を判定する判定ステップと、
前記制御部が、前記類義語と前記第１名称との間の表記の類似度、および、前記類義語と前記第１名称との間の属性の類似度の少なくとも一方に応じて設定される設定値に基づいて前記第１名称を抽出する抽出ステップと、を含む、
情報検索方法。
【請求項２】
前記制御部が、抽出された前記第１名称と前記設定値とを関連付けて出力する出力ステップをさらに含み、
前記出力ステップは、前記設定値が高い前記第１名称を優先的に出力する、
請求項１に記載の情報検索方法。
【請求項３】
前記記録部が、ユーザが前記第１名称を指定した場合に、指定された前記第１名称と対応する前記第２名称とを関連づけて記録する第２記録ステップをさらに含む、
請求項１又は請求項２に記載の情報検索方法。
【請求項４】
前記制御部が、前記第２記録ステップにより記録された前記第２名称が前記検索要求情報として入力された場合に、前記設定値を制御する設定値制御ステップをさらに備え、
前記抽出ステップは、制御された前記設定値に基づいて前記第１名称を抽出する、
請求項３に記載の情報検索方法。
【請求項５】
前記類義語は、前記名称の同義語、包含語、製品名、体系名、慣用名、ＣＡＳ登録番号および分子式のうち一以上を含む、
請求項１乃至請求項４の何れか一項に記載の情報検索方法。
【請求項６】
製品、材料またはエネルギーの単位量あたりの環境負荷を示す環境負荷情報に対応づけられた第１名称を検索する情報検索プログラムであって、
コンピュータに、
製品、材料またはエネルギーの第２名称に対する一以上の類義語と前記第２名称とを関連づけて記録する機能と、
前記第２名称が検索要求情報として入力された場合に、前記検索要求情報に基づいて前記第２名称に関連付けられた前記類義語を判定する機能と、
前記類義語と前記第１名称との間の表記の類似度、および、前記類義語と前記第１名称との間の属性の類似度の少なくとも一方に応じて設定される設定値に基づいて前記第１名称を抽出する機能と、を実現させるための
情報検索プログラム。
【請求項７】
製品、材料またはエネルギーの単位量あたりの環境負荷を示す環境負荷情報に対応づけられた第１名称を検索する情報検索システムであって、
製品、材料またはエネルギーの第２名称に対する一以上の類義語と前記第２名称とを関連づけて記録する記録部と、
前記第２名称が検索要求情報として入力された場合に、前記検索要求情報に基づいて前記第２名称に関連付けられた前記類義語を判定する判定部と、
前記類義語と前記第１名称との間の表記の類似度、および、前記類義語と前記第１名称との間の属性の類似度の少なくとも一方に応じて設定される設定値に基づいて前記第１名称を抽出する抽出部と、を備える、
情報検索システム。